(57)【要約】【課題】人が室内へ侵入したことを検出して警報音により報知する換気装置において、居住者が運転条件を切替えた際に起こる換気風量の変化は報知しないで、運転条件を切替えることなく起こる換気風量の変化については報知することを目的とする。【解決手段】換気風量を段階あるいは無段階に切替えできる換気風量設定手段７と、換気風量を測定する換気風量測定手段７と測定した換気風量を所定時間ごとに換気風量変化量を演算する換気風量変化量演算手段８と、室内あるいは室外へ報知する報知手段９とを備え、換気風量の変化を検知し、前記換気風量設定手段７により設定が変更されていなければ、人が室内へ侵入したこととして報知する換気装置３を得られる。【選択図】図１ 
2005107643.tif 000002
【特許請求の範囲】
【請求項１】
換気風量を測定する換気風量測定手段と、前記換気風量測定手段により測定した換気風量を所定時間ごとに換気風量変化量を演算する換気風量変化量演算手段と、換気風量を段階あるいは無段階に設定できる換気風量設定手段と、前記換気風量変化量演算手段が換気風量の変化を検知した時に、前記換気風量設定手段により換気風量の設定が変更されているかを判別して、換気風量の設定が変更されていなければ室内あるいは室外へ報知する報知手段とを備え、前記換気風量変化量演算手段が換気風量の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しないことを特徴とする換気装置。
【請求項２】
換気風量の基準変化量を設定する換気風量基準変化量設定手段を備え、換気風量基準変化量を設定し、この換気風量基準変化量と換気風量変化量演算手段により演算した換気風量変化量とを比較して、換気風量変化量が大きければ人が室内へ侵入したこととして報知し、換気風量変化量が小さければ人が室内へ侵入していないこととして報知しないことを特徴とする請求項１記載の換気装置。
【請求項３】
モータ回転数を測定するモータ回転数測定手段と、前記モータ回転数測定手段により測定したモータ回転数を所定時間ごとにモータ回転数変化量を演算するモータ回転数変化量演算手段と、換気風量を段階あるいは無段階に設定できる換気風量設定手段と、前記モータ回転数変化量演算手段がモータ回転数の変化を検知した時に、前記換気風量設定手段により換気風量の設定が変更されているかを判別して、換気風量の設定が変更されていなければ室内あるいは室外へ報知する報知手段とを備え、前記モータ回転数変化量演算手段がモータ回転数の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しないことを特徴とする換気装置。
【請求項４】
モータ回転数基準変化量を設定するモータ回転数基準変化量設定手段を備え、モータ回転数基準変化量を設定し、このモータ回転数基準変化量と、モータ回転数変化量演算手段により演算したモータ回転数変化量とを比較して、モータ回転数変化量が大きければ人が室内へ侵入したこととして報知し、モータ回転数変化量が小さければ人が室内へ侵入していないこととして報知しないことを特徴とする請求項３記載の換気装置。
【請求項５】
室内圧力を測定する室内圧力測定手段と、前記室内圧力測定手段により測定した室内圧力を所定時間ごとに室内圧力変化量を演算する室内圧力変化量演算手段と、前記室内圧力変化量演算手段が室内圧力の変化を検知したことを検知して室内あるいは室外へ報知する報知手段とを備え、室内圧力の変化を検知すれば、人が室内へ侵入したこととして報知することを特徴とする換気装置。
【請求項６】
室内圧力を測定する室内圧力測定手段と、前記室内圧力測定手段により測定した室内圧力を所定時間ごとに室内圧力変化量を演算する室内圧力変化量演算手段と、換気風量を段階あるいは無段階に設定できる換気風量設定手段と、前記室内圧力変化量演算手段が室内圧力変化を検知した時に、前記換気風量設定手段により換気風量の設定が変更されているかを判別して、換気風量の設定が変更されていなければ室内あるいは室外へ報知する報知手段とを備え、前記室内圧力変化量演算手段が室内圧力変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しないことを特徴とする換気装置。
【請求項７】
室内圧力基準変化量を設定する室内圧力基準変化量設定手段を備え、室内圧力基準変化量を設定し、この室内圧力基準変化量と、室内圧力変化量演算手段により演算した室内圧力変化量とを比較して、室内圧力変化量が大きければ人が室内へ侵入したこととして報知し、室内圧力変化量が小さければ人が室内へ侵入していないこととして報知しないことを特徴とする請求項５または６記載の換気装置。
【請求項８】
報知時間を設定する報知時間設定手段を備え、報知時間を経過した後は、再び人が室内へ侵入したことを検知できる状態に復帰することを特徴とする請求項１、２、３、４、５、６または７記載の換気装置。
【請求項９】
人が室内へ侵入したことを検知するかしないかを選択する動作選択手段を備えたことを特徴とする請求項１、２、３、４、５、６、７または８記載の換気装置。
【請求項１０】
人が室内へ侵入したことを検知する検知信号および換気風量、モータ回転数、室内圧力の換気情報を、入力および外部に出力するための外部出力手段とを備えたことを特徴とする請求項１、２、３、４、５、６、７、８または９記載の換気装置。
【発明の詳細な説明】
【技術分野】
【０００１】
本発明は、換気装置の運転時の換気風量、モータ回転数等の換気情報を利用して、人が室内へ侵入したかどうかを検知し、警報音等により報知する防犯機能を備えた換気装置に関する。
【背景技術】
【０００２】
近年、住宅あるいはマンションを狙った空き巣や車上荒らし等の犯罪が急増しており、特にひとり暮らしの居住者にとっては外出する機会も多く、より被害を受けやすい環境にある。このことから防犯に関する意識が高まっており、外出時に部屋に人が侵入した時には侵入者に対して警報音等により威嚇し、住居から追い出す、即ち空き巣から被害を防ぐ効果のある機能を備えた換気装置が求められている。
【０００３】
この種の防犯装置には外部の空気を室内へ急激に吸引したことを検知し、警備会社へ連絡するものが知られている（例えば、特許文献１参照）。
【０００４】
以下、その防犯装置について図２０を参照しながら説明する。
【０００５】
図に示すように、空気排気装置１０１と、排気風路１０４に設けられた薄板１０２の位置変動により、これと電気的接点１０３とが接触することで不法侵入者の存在を検知する検知手段と、検知信号を警備会社へ連絡する通報手段とを備え、不法侵入により窓ガラスやドアを破壊あるいは開閉された時に、外部の空気を室内へ急激に吸引すれば、排気風路１０４に設けられた薄板１０２の位置が変動して電気的接点と接触することで検知し、その存在を警備会社に通報する。また、警報音を発生させることにより、不法侵入者を威嚇するものである。
【特許文献１】特開平１１−２５０３５９号公報
【発明の開示】
【発明が解決しようとする課題】
【０００６】
このような従来の防犯装置では、設置されている換気装置が通常、換気風量を「強」、「中」、「弱」、「切」等、段階的に設定できる操作部を備えている。居住者は換気装置が作動していても室内の臭いが気になる場合は更に換気風量を増やすために設定を「強」に上げたり、あるいは停止させる場合は「切」にする等、運転条件を切替えることが日常的な行為として有り得る。この場合においては、換気装置自身の性能切替えによって起こる換気風量の変化により、排気風路に設けられた薄板は位置が変動することとなり、つまりは不法侵入により窓ガラスやドアを破壊あるいは開閉されたときに生じる、外部の空気を室内へ急激に吸引する動作と同じこととなる。従って、この場合でも検知手段が不法侵入であると間違って検知して報知するという課題があり、換気風量の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないことが要求されている。
【０００７】
本発明は、このような従来の課題を解決するものであり、換気風量の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入でないと検知して報知しない換気装置を提供することを目的としている。
【０００８】
また、従来の防犯装置では、居住者が換気装置の運転条件を切替えなくとも、外風等により、外部の空気を室内へ急激に吸引すると換気風量が変化する。この場合でも検知手段が不法侵入であると間違って検知して報知するという課題があり、換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しないことが要求されている。
【０００９】
本発明は、このような従来の課題を解決するものであり、換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しない換気装置を提供することを目的としている。
【００１０】
また、従来の防犯装置では、設置されている換気装置が通常、換気風量を「強」、「中」、「弱」、「切」等、段階的に設定できる操作部を備えている。居住者は換気装置が作動していても室内の臭いが気になる場合は更に換気風量を増やすために設定を「強」に上げたり、あるいは停止させる場合は「切」にする等、運転条件を切替えることが日常的な行為として有り得る。この場合においては、換気装置自身の性能切替えによって起こるモータ回転数の変化により、排気風路に設けられた薄板は位置が変動することとなり、つまりは不法侵入により窓ガラスやドアを破壊あるいは開閉されたときに生じる、外部の空気を室内へ急激に吸引する動作と同じこととなる。従って、この場合でも検知手段が不法侵入であると間違って検知して報知するという課題があり、モータ回転数の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないことが要求されている。
【００１１】
本発明は、このような従来の課題を解決するものであり、モータ回転数の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入でないと検知して報知しない換気装置を提供することを目的としている。
【００１２】
また、従来の防犯装置では、居住者が換気装置の運転条件を切替えなくとも、外風等により、外部の空気を室内へ急激に吸引すると換気風量、つまりはモータ回転数が変化する。この場合でも検知手段が不法侵入であると間違って検知して報知するという課題があり、モータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しないことが要求されている。
【００１３】
本発明は、このような従来の課題を解決するものであり、モータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しない換気装置を提供することを目的としている。
【００１４】
また、従来の防犯装置では、窓ガラスやドアを破壊あるいは開閉されたときに生じる換気風量の変化により、排気風路に設けられた薄板が位置変動することにより、電気的接触部と接触することで検知しており、構造が複雑であるという課題があり、容易に人が侵入したことを検知できることが要求されている。
【００１５】
本発明は、このような従来の課題を解決するものであり、室内圧力の変化を検知するのみで人が室内へ侵入したこととして報知するのを容易にできる換気装置を提供することを目的としている。
【００１６】
また、従来の防犯装置では、設置されている換気装置が通常、換気風量を「強」、「中」、「弱」、「切」等、段階的に切替えできる操作部を備えている。居住者は換気装置が作動していても室内の臭いが気になる場合は更に換気風量を増やすために設定を「強」に上げたり、あるいは停止させる場合は「切」にする等、運転条件を切替えることが日常的な行為として有り得る。この場合においては、室内がより負圧状態となり室内圧力変化により、排気風路に設けられた薄板は位置が変動することとなり、つまりは不法侵入により窓ガラスやドアを破壊あるいは開閉されたときに生じる、外部の空気を室内へ急激に吸引する動作と同じこととなる。従って、この場合でも検知手段が不法侵入であると間違って検知して報知するという課題があり、室内圧力の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないことが要求されている。
【００１７】
また、従来の防犯装置では、居住者が換気装置の運転条件を切替えなくとも、外風等により、外部の空気を室内へ急激に吸引すると室内圧力が変化する。この場合でも検知手段が不法侵入であると間違って検知して報知するという課題があり、室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しないことが要求されている。
【００１８】
本発明は、このような従来の課題を解決するものであり、室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しない換気装置を提供することを目的としている。
【００１９】
また、従来の防犯装置では、不法侵入者が警報音により威嚇されたことを受け、外部に退散したとしても、警報音は鳴り続けるという課題があり、警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することが要求されている。
【００２０】
本発明は、このような従来の課題を解決するものであり、警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することができる換気装置を提供することを目的としている。
【００２１】
また、従来の防犯装置では、外出先から帰宅した時や居住者が頻繁に出入りした時でも、外部の空気を室内へ急激に吸引することとなり、この場合においても検知手段が不法侵入であると間違って検知して報知するという課題があり、居住者が在宅時には、窓や扉を開閉したことにより、外部の空気を室内へ急激に吸引することで生じる換気風量、モータ回転数あるいは室内圧力の変化を検知するかしないかを選択できることが要求されている。
【００２２】
本発明は、このような従来の課題を解決するものであり、居住者が在宅時には、窓や扉を開閉したことにより、外部の空気を室内へ急激に吸引することで生じる換気風量、モータ回転数あるいは室内圧力の変化を検知するかしないかを、必要に応じて選択できる換気装置を提供することを目的としている。
【００２３】
また、換気風量、モータ回転数、室内の圧力を測定しても不法侵入を検出するためにしか利用していないという課題があり、換気風量、モータ回転数、室内圧力の換気情報を利用できるように、外部へ出力できることが要求されている。
【００２４】
本発明は、このような従来の課題を解決するものであり、人が室内へ侵入したことを検知する検知信号および換気風量、モータ回転数、室内圧力の換気情報を入力および外部に出力できる換気装置を提供することを目的としている。
【課題を解決するための手段】
【００２５】
本発明の換気装置は上記目的を達成するために、換気風量を測定する換気風量測定手段と、前記換気風量測定手段により測定した換気風量を所定時間ごとに換気風量変化量を演算する換気風量変化量演算手段と、換気風量を段階あるいは無段階に設定できる換気風量設定手段と、前記換気風量変化量演算手段が換気風量の変化を検知した時に、前記換気風量設定手段により換気風量の設定が変更されているかを判別して、換気風量の設定が変更されていなければ室内あるいは室外へ報知する報知手段とを備え、前記換気風量変化量演算手段が換気風量の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない構成としたものである。
【００２６】
これにより換気風量の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入でないと検知して報知しない換気装置が得られる。
【００２７】
また、他の手段は、換気風量の基準変化量を設定する換気風量基準変化量設定手段を備え、換気風量基準変化量を設定し、この換気風量基準変化量と換気風量変化量演算手段により演算した換気風量変化量とを比較して、換気風量変化量が大きければ人が室内へ侵入したこととして報知し、換気風量変化量が小さければ人が室内へ侵入していないこととして報知しない構成としたものである。
【００２８】
これにより換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しない換気装置が得られる。
【００２９】
また、他の手段は、モータ回転数を測定するモータ回転数測定手段と、前記モータ回転数測定手段により測定したモータ回転数を所定時間ごとにモータ回転数変化量を演算するモータ回転数変化量演算手段と、換気風量を段階あるいは無段階に設定できる換気風量設定手段と、前記モータ回転数変化量演算手段がモータ回転数の変化を検知した時に、前記換気風量設定手段により換気風量の設定が変更されているかを判別して、換気風量の設定が変更されていなければ室内あるいは室外へ報知する報知手段とを備え、前記モータ回転数変化量演算手段がモータ回転数の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない構成としたものである。
【００３０】
これによりモータ回転数の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しない換気装置が得られる。
【００３１】
また、他の手段は、モータ回転数基準変化量を設定するモータ回転数基準変化量設定手段を備え、モータ回転数基準変化量を設定し、このモータ回転数基準変化量と、モータ回転数変化量演算手段により演算したモータ回転数変化量とを比較して、モータ回転数変化量が大きければ人が室内へ侵入したこととして報知し、モータ回転数変化量が小さければ人が室内へ侵入していないこととして報知しない構成としたものである。
【００３２】
これによりモータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しない換気装置が得られる。
【００３３】
また、他の手段は、室内圧力を測定する室内圧力測定手段と、前記室内圧力測定手段により測定した室内圧力を所定時間ごとに室内圧力変化量を演算する室内圧力変化量演算手段と、前記室内圧力変化量演算手段が室内圧力の変化を検知したことを検知して室内あるいは室外へ報知する報知手段とを備え、室内圧力の変化を検知するのみで人が室内へ侵入したこととして報知する構成としたものである。
【００３４】
これにより室内圧力が変化したことを検知すれば、室内に侵入したこととして報知し、侵入者に対して威嚇することが容易にできる換気装置が得られる。
【００３５】
また、他の手段は、室内圧力を測定する室内圧力測定手段と、前記室内圧力測定手段により測定した室内圧力を所定時間ごとに室内圧力変化量を演算する室内圧力変化量演算手段と、換気風量を段階あるいは無段階に設定できる換気風量設定手段と、前記室内圧力変化量演算手段が室内圧力変化を検知した時に、前記換気風量設定手段により換気風量の設定が変更されているかを判別して、換気風量の設定が変更されていなければ室内あるいは室外へ報知する報知手段とを備え、前記室内圧力変化量演算手段が室内圧力変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない構成としたものである。
【００３６】
これにより室内圧力の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しない換気装置が得られる。
【００３７】
また、他の手段は、室内圧力基準変化量を設定する室内圧力基準変化量設定手段を備え、室内圧力基準変化量を設定し、この室内圧力基準変化量と、室内圧力変化量演算手段により演算した室内圧力変化量とを比較して、室内圧力変化量が大きければ人が室内へ侵入したこととして報知し、室内圧力変化量が小さければ人が室内へ侵入していないこととして報知しない構成としたものである。
【００３８】
これにより室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しない換気装置が得られる。
【００３９】
また、他の手段は、報知時間を設定する報知時間設定手段を備え、報知時間を経過した後は、再び人が室内へ侵入したことを検知できる状態に復帰する構成としたものである。
【００４０】
これにより警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することができる換気装置が得られる。
【００４１】
また、他の手段は、人が室内へ侵入したことを検知するかしないかを選択する動作選択手段を備えた構成としたものである。
【００４２】
これにより居住者が在宅時には、窓や扉を開閉したことにより、外部の空気を室内へ急激に吸引することで生じる換気風量、モータ回転数あるいは室内圧力の変化を検知するかしないかを、必要に応じて選択できる換気装置が得られる。
【００４３】
また、人が室内へ侵入したことを検知する検知信号および換気風量、モータ回転数、室内圧力の換気情報を入力および外部に出力するための外部出力手段とを備えた構成としたものである。
【００４４】
これにより人が室内へ侵入したことを検知する検知信号および換気風量、モータ回転数、室内圧力の換気情報を入力および外部に出力できる換気装置が得られる。
【発明の効果】
【００４５】
本発明によれば換気風量の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入でないと検知して報知しないという効果のある換気装置を提供できる。
【００４６】
また、換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しないという効果のある換気装置を提供できる。
【００４７】
また、モータ回転数の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないという効果のある換気装置を提供できる。
【００４８】
また、モータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しないという効果のある換気装置を提供できる。
【００４９】
また、室内圧力が変化したことを検知すれば、室内に侵入したこととして報知し、侵入者に対して威嚇するのを容易にできるという効果のある換気装置を提供できる。
【００５０】
また、室内圧力の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないという効果のある換気装置を提供できる。
【００５１】
また、室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しないという効果のある換気装置を提供できる。
【００５２】
また、警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することができるという効果のある換気装置を提供できる。
【００５３】
また、居住者が在宅時には、窓や扉を開閉したことにより、外部の空気を室内へ急激に吸引することで生じる換気風量、モータ回転数あるいは室内圧力の変化を検知するかしないかを、必要に応じて選択できるという効果のある換気装置を提供できる。
【００５４】
また、室内へ侵入したことを検知する検知信号および換気風量、モータ回転数、室内圧力の換気情報を入力および外部に出力できるという効果のある換気装置を提供できる。
【発明を実施するための最良の形態】
【００５５】
本発明の請求項１記載の発明は、換気風量を測定する換気風量測定手段と、前記換気風量測定手段により測定した換気風量を所定時間ごとに換気風量変化量を演算する換気風量変化量演算手段と、換気風量を段階あるいは無段階に設定できる換気風量設定手段と、前記換気風量変化量演算手段が換気風量の変化を検知した時に、前記換気風量設定手段により換気風量の設定が変更されているかを判別して、換気風量の設定が変更されていなければ室内あるいは室外へ報知する報知手段とを備え、前記換気風量変化量演算手段が換気風量の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しないものであり、換気風量の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入でないと検知して報知しないという作用を有する。
【００５６】
また、換気風量の基準変化量を設定する換気風量基準変化量設定手段を備え、換気風量基準変化量を設定し、この換気風量基準変化量と換気風量変化量演算手段により演算した換気風量変化量とを比較して、換気風量変化量が大きければ人が室内へ侵入したこととして報知し、換気風量変化量が小さければ人が室内へ侵入していないこととして報知しないものであり、換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しないという作用を有する。
【００５７】
また、モータ回転数を測定するモータ回転数測定手段と、前記モータ回転数測定手段により測定したモータ回転数を所定時間ごとにモータ回転数変化量を演算するモータ回転数変化量演算手段と、換気風量を段階あるいは無段階に設定できる換気風量設定手段と、前記モータ回転数変化量演算手段がモータ回転数の変化を検知した時に、前記換気風量設定手段により換気風量の設定が変更されているかを判別して、換気風量の設定が変更されていなければ室内あるいは室外へ報知する報知手段とを備え、前記モータ回転数変化量演算手段がモータ回転数の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない構成としたものである。
【００５８】
これによりモータ回転数の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しない換気装置が得られる。
【００５９】
また、他の手段は、モータ回転数基準変化量を設定するモータ回転数基準変化量設定手段を備え、モータ回転数基準変化量を設定し、このモータ回転数基準変化量と、モータ回転数変化量演算手段により演算したモータ回転数変化量とを比較して、モータ回転数変化量が大きければ人が室内へ侵入したこととして報知し、モータ回転数変化量が小さければ人が室内へ侵入していないこととして報知しないものであり、モータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しないという作用を有する。
【００６０】
また、室内圧力を測定する室内圧力測定手段と、前記室内圧力測定手段により測定した室内圧力を所定時間ごとに室内圧力変化量を演算する室内圧力変化量演算手段と、前記室内圧力変化量演算手段が室内圧力の変化を検知したことを検知して室内あるいは室外へ報知する報知手段とを備え、室内圧力の変化を検知すれば、人が室内へ侵入したこととして報知するものであり、室内圧力が変化したことを検知すれば、室内に侵入したこととして報知し、侵入者に対して威嚇することができるという作用を有する。
【００６１】
また、室内圧力を測定する室内圧力測定手段と、前記室内圧力測定手段により測定した室内圧力を所定時間ごとに室内圧力変化量を演算する室内圧力変化量演算手段と、換気風量を段階あるいは無段階に設定できる換気風量設定手段と、前記室内圧力変化量演算手段が室内圧力変化を検知した時に、前記換気風量設定手段により換気風量の設定が変更されているかを判別して、換気風量の設定が変更されていなければ室内あるいは室外へ報知する報知手段とを備え、前記室内圧力変化量演算手段が室内圧力変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しないものであり、室内圧力の変化が、窓あるいは扉を開閉したことによるものか、あるいは居住者が運転条件を変更したことによるものかを判別して、窓あるいは扉を開閉したことによるものであれば、不法侵入であると検知して報知し、居住者が運転条件を変更したことによるものであれば、不法侵入ではないと検知して報知しないという作用を有する。
【００６２】
また、室内圧力基準変化量を設定する室内圧力基準変化量設定手段を備え、室内圧力基準変化量を設定し、この室内圧力基準変化量と、室内圧力変化量演算手段により演算した室内圧力変化量とを比較して、室内圧力変化量が大きければ人が室内へ侵入したこととして報知し、室内圧力変化量が小さければ人が室内へ侵入していないこととして報知しないものであり、室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しないという作用を有する。
【００６３】
また、報知時間を設定する報知時間設定手段を備え、報知時間を経過した後は、再び人が室内へ侵入したことを検知できる状態に復帰するものであり、警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することができるという作用を有する。
【００６４】
また、人が室内へ侵入したことを検知するかしないかを選択する動作選択手段を備えたたものであり、居住者が在宅時には、窓や扉を開閉したことにより、外部の空気を室内へ急激に吸引することで生じる換気風量、モータ回転数あるいは室内圧力の変化を検知するかしないかを、必要に応じて選択できるという作用を有する。
【００６５】
また、人が室内へ侵入したことを検知する検知信号および換気風量、モータ回転数、室内圧力の換気情報を、入力および外部に出力するための外部出力手段とを備えたものであり、室内へ侵入したことを検知する検知信号および換気風量、モータ回転数、室内の圧力の換気情報を入力および外部へ出力できるという作用を有する。
【００６６】
以下、本発明の実施の形態について図面を参照しながら説明する。
【００６７】
（実施の形態１）
図１に示すように、天井１にダクト２を介して設置された換気装置３は、室内の空気を取り入れ口となるルーバー４と、運転条件、即ち換気風量を「強」、「中」、「弱」、「切」といった段階的に切替える換気風量設定操作部５と、回転することで空気を排出するファンモータ６と、換気風量を測定する換気風量測定手段７と、この換気風量測定手段７により測定した換気風量を所定時間ごとに入力して、その前後の換気風量の変化量を演算し、さらに換気風量設定操作部５で設定された運転条件を入力して、この運転条件が変更されたかどうかを判別する換気風量変化量演算手段８と、換気風量変化量演算手段８が換気風量の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない報知手段９による構成とする。
【００６８】
上記構成において、外出時は窓や扉は閉めた状態にしておき、換気装置３を作動させておくと、ファンモータ６が回転することでルーバ４から室内の空気を吸い込み、ダクト２を通じて外部へ排出する。部屋には人の出入りがなく、扉は閉められた状態であるものの、空気は室内へ扉の隙間等から流入して換気風量は一定となる。そして、換気風量測定手段７、例えば風速計による風速値と排気口の断面積から算出、により換気風量を測定する。この状態において、侵入者が窓あるいは扉を開けると開口部が増えることで、急激に空気が流入して換気風量が増加する。換気風量変化量演算手段８は換気風量測定手段７により測定している値のうち、所定時間ごとに換気風量を入力して、この前後の換気風量差を演算する。従って、扉を開ける前後で換気風量が変化するので換気風量の差を演算できることとなる。さらに、換気風量変化量演算手段８は換気風量設定操作部５で設定された運転条件を入力し、この運転条件が変更されたかどうかを検出する。そして、換気風量変化量演算手段８により所定時間ごとに換気風量を入力して、この前後の換気風量差を演算した結果、換気風量差がなければ、所定時間ごとに入力した換気風量が変化していないものとして、再び所定時間後に換気風量を入力して同様の動作を繰り返す。一方、換気風量変化量演算手段８により所定時間ごとに換気風量を入力して、この前後の換気風量差を演算した結果、換気風量差があれば、所定時間ごとに入力した換気風量が変化したことを検知し、かつ換気風量変化量演算手段８が、換気風量設定操作部５により運転条件が変更されていないことを検知すれば、人が侵入したことと検知して、これを報知信号として入力し報知手段９、例えば、ブザー、あかりにより呼応、あるいは点灯させて、侵入者に対して威嚇することとなる。さらに、居住者が換気風量設定操作部５を例えば「中」から「強」に変更した場合は、窓あるいは扉を開けなくても、ファンモータ６の回転数が上昇することにより換気風量を増加させることとなる。換気風量変化量演算手段８により換気風量差があることを検知するが、換気風量設定操作部５が変更されていることを検知し報知手段９へは伝達しない、つまり侵入者が室内へ侵入していないこととして、報知手段９、例えば、ブザー、あかりを呼応、あるいは点灯させないようにする。
【００６９】
次に、上図のように構成した換気装置３の動作について図２を参照しながら説明する。
まず、起動してからステップ３１で待機時間「Ｔ１」経過後、つまり換気風量が一定になった後、ステップ３２で換気風量「Ｑ１」を入力する。その後、ステップ３３で所定時間「Ｔ２」経過後、ステップ３４で換気風量「Ｑ２」を入力する。そして、ステップ３５で換気風量「Ｑ１」と「Ｑ２」との差の絶対値｜Ｑ１−Ｑ２｜を演算して、結果が０であれば、つまり同じ換気風量であれば、ステップ３３に戻り同じ動作を繰り返す。一方、結果が０でなければ、つまり異なった換気風量であれば、ステップ３６で運転条件が変更されたかどうかを判定する。そして、運転条件が変更されていれば、ステップ３７で換気風量「Ｑ１」を「Ｑ２」として現時点での換気風量を更新し、その後ステップ３３に戻り同じ動作を繰り返す。一方、ステップ３６で運転条件が変更されていなければ、つまり換気風量が変化し、かつ換気風量設定操作部５を変更していなければ、侵入者が侵入したとしてステップ３８で報知信号により報知する。
【００７０】
以上のように、換気風量の変化が窓あるいは扉を開閉したことによるものか、あるいは運転条件を変更したことによるものかを判別して、窓あるいは扉を開閉したことによるものであれば不法侵入者が侵入したとして報知し、運転条件を変更したことによるものであれば居住者が存在するとして報知しないこととする。
【００７１】
なお、本実施の形態１において、室内の空気を排気するファンモータ６としたが、室内の室外の空気を給気するファンモータでも同様の効果を有する。
【００７２】
また、本実施の形態１において、換気風量設定操作部５は段階に切替えるものとしたが、無段階に切替えるものであってもよい。
【００７３】
（実施の形態２）
図３に示すように、換気風量設定操作部５ａの内部に、換気風量基準変化量を設定する換気風量基準変化量設定手段１０を備え、換気風量基準変化量設定手段１０は基準変化量設定モードを選択し換気風量基準変化量を設定する。そして設定した換気風量基準変化量と換気風量変化量演算手段８により演算した換気風量変化量とを比較して、演算した換気風量変化量が大きければ人が室内へ侵入したこととして、これを報知信号として報知手段９に入力して警報音により報知し、演算した換気風量変化量が小さければ人が室内へ侵入していないとして報知しない構成とする。
【００７４】
なお、換気風量変化量演算手段８により換気風量の変化を検知するまでの動作は実施の形態１と同様のため、詳細な説明は省略する。
【００７５】
次に、上図のように構成した換気装置３ａの動作について図４を参照しながら説明する。
【００７６】
まず、起動してからステップ３１で待機時間「Ｔ１」経過後、つまり換気風量が一定になった後、ステップ３２で換気風量「Ｑ１」を入力する。その後、ステップ３３で所定時間「Ｔ２」経過後、ステップ３４で換気風量「Ｑ２」を入力する。そして、ステップ３５で換気風量「Ｑ１」と「Ｑ２」との差の絶対値｜Ｑ１−Ｑ２｜を演算して、結果が０であれば、つまり同じ換気風量であれば、ステップ３３に戻り同じ動作を繰り返す。一方、結果が０でなければ、つまり異なった換気風量であれば、ステップ４１で換気風量基準変化量設定を選択すれば、ステップ４２で基準変化量「Ｑｃ」を設定し、ステップ４３で換気風量の基準変化量「Ｑｃ」と換気風量差の絶対値｜Ｑ１−Ｑ２｜とを比較して、換気風量差が換気風量基準変化量よりも小さければステップ３７に戻り同じ動作を繰り返す。換気風量基準変化量よりも大きければステップ３８で報知信号により報知する。
【００７７】
一方、ステップ４１で換気風量基準変化量設定を選択しなければ、ステップ３６で運転条件が変更されたかどうかを判定する。そして、運転条件が変更されていれば、ステップ３７で換気風量「Ｑ１」を「Ｑ２」として現時点での換気風量を更新し、その後ステップ３３に戻り同じ動作を繰り返す。一方、ステップ３６で運転条件が変更されていなければ、つまり換気風量が変化し、かつ換気風量設定操作部５ａを変更していなければ、侵入者が侵入したとしてステップ３８で報知信号により報知する。
【００７８】
以上のように、換気風量が変化した時に、この換気風量変化量と換気風量基準変化量とを比較して、換気風量変化量が大きければ人が室内へ侵入したこととして報知し、換気風量変化量が小さければ人が室内へ侵入していない、つまりは外風等により換気風量が変化したこととして報知しないこととする。
【００７９】
なお、本実施の形態２において、換気風量設定操作部５ａの内部に換気風量基準変化量設定手段１０を設けた構成としたが、外部に設けてもよい。
【００８０】
また、本実施の形態２において、室内の空気を排気するファンモータ６としたが、室内の室外の空気を給気するファンモータでも同様の効果を有する。
【００８１】
また、本実施の形態２において、換気風量設定操作部５ａは段階に切替えるものとしたが、無段階に切替えるものであってもよい。
【００８２】
（実施の形態３）
図５に示すように、天井１にダクト２を介して設置された換気装置３ｂは、室内の空気を取り入れ口となるルーバー４と、運転条件、即ち換気風量を「強」、「中」、「弱」、「切」といった段階的に切替える換気風量設定操作部５ｂと、回転することで空気を排出するファンモータ６と、このファンモータ回転数を測定するモータ回転数測定手段１１と、モータ回転数測定手段１１により測定したファンモータ回転数を所定時間ごとに入力して、その前後のファンモータ回転数の変化量を演算し、さらに換気風量設定操作部５ｂで設定された運転条件を入力して、この運転条件が変更されたかどうかを判別するモータ回転数変化量演算手段１２と、モータ回転数変化量演算手段１２がファンモータ回転数の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない報知手段９による構成とする。
【００８３】
上記構成において、外出時は窓や扉は閉めた状態にしておき、換気装置３ｂを作動させておくと、ファンモータ６が回転することでルーバ４から室内の空気を吸い込み、ダクト２を通じて外部へ排出する。部屋には人の出入りがなく、扉は閉められた状態であるものの、空気は室内へ扉の隙間等から流入して換気風量、即ちファンモータ回転数は一定となる。そして、モータ回転数測定手段１１、例えばフォトセンサによりファンモータ回転数を測定する。この状態において、侵入者が窓あるいは扉を開けると開口部が増えることで、急激に空気が流入して換気風量、即ちファンモータ回転数が増加する。モータ回転数変化量演算手段１２はモータ回転数測定手段１１により測定している値のうち、所定時間ごとにファンモータ回転数を入力して、この前後のファンモータ回転数差を演算する。従って、扉を開ける前後でファンモータ回転数が変化するのでファンモータ回転数の差を演算できることとなる。さらに、モータ回転数変化量演算手段１２は換気風量設定操作部５ｂで設定された運転条件を入力し、この運転条件が変更されたかどうかを検出する。そしてモータ回転数変化量演算手段１２により所定時間ごとにファンモータ回転数を入力して、この前後のファンモータ回転数差を演算した結果、ファンモータ回転数差がなければ、所定時間ごとに入力したファンモータ回転数が変化していないものとして、再び所定時間後にファンモータ回転数を入力して同様の動作を繰り返す。一方、モータ回転数変化量演算手段１２により所定時間ごとにファンモータ回転数を入力して、この前後のファンモータ回転数差を演算した結果、ファンモータ回転数に差があれば、所定時間ごとに入力したファンモータ回転数が変化したことを検知し、かつモータ回転数変化量演算手段１２が、換気風量設定操作部５ｂにより運転条件が変更されていないことを検知すれば、人が侵入したことと検知して、これを報知信号として入力し報知手段９、例えば、ブザー、あかりにより呼応、あるいは点灯させて、侵入者に対して威嚇することとなる。さらに、居住者が換気風量設定操作部５ｂを例えば「中」から「強」に変更した場合は、窓あるいは扉を開けなくても、ファンモータ６の回転数が上昇することとなる。モータ回転数変化量演算手段１２によりファンモータ回転数差があることを検知するが、換気風量設定操作部５ｂが変更されていることを検知し報知手段９へは伝達しない、つまり侵入者が室内へ侵入していないこととして、報知手段９、例えば、ブザー、あかりを呼応、あるいは点灯させないようにする。
【００８４】
次に、上図のように構成した換気装置３ｂの動作について図６を参照しながら説明する。
【００８５】
まず、起動してからステップ３１で待機時間「Ｔ１」経過後、つまりファンモータ回転数が一定になった後、ステップ４５でファンモータ回転数「Ｒ１」を入力する。その後、ステップ３３で所定時間「Ｔ２」経過後、ステップ４６でファンモータ回転数「Ｒ２」を入力する。そして、ステップ４７でファンモータ回転数「Ｒ１」とファンモータ回転数「Ｒ２」との差の絶対値｜Ｒ１−Ｒ２｜を演算して、結果が０であれば、つまり同じ回転数であれば、ステップ３３に戻り同じ動作を繰り返す。一方、結果が０でなければ、つまり異なった回転数であれば、ステップ３６で運転条件が変更されているかどうかを判定する。そして、運転条件が変更されていれば、ステップ４８でファンモータ回転数「Ｒ１」を「Ｒ２」として現時点でのファンモータ回転数を更新し、その後ステップ３３に戻り同じ動作を繰り返す。一方、運転条件が変更されていなければ、つまりファンモータ回転数が変化し、かつ換気風量操作部５ｂを変更していなければ、侵入者が侵入したとしてステップ３８で報知信号により報知する。
【００８６】
以上のように、ファンモータ回転数の変化が窓あるいは扉を開閉したことによるものか、あるいは運転条件を変更したことによるものかを判別して、窓あるいは扉を開閉したことによるものであれば不法侵入者が侵入したとして報知し、運転条件を変更したことによるものであれば居住者が存在するとして報知しないこととする。
【００８７】
なお、本実施の形態３において、室内の空気を排気するファンモータ６としたが、室内の室外の空気を給気するファンモータでも同様の効果を有する。
【００８８】
また、本実施の形態３において、換気風量設定操作部５ｂは段階に切替えるものとしたが、無段階に切替えるものであっても良い。
【００８９】
（実施の形態４）
図７に示すように、換気風量設定操作部５ｃの内部に、ファンモータ回転数基準変化量を設定するモータ回転数基準変化量設定手段１０ａを備え、モータ回転数基準変化量設定手段１０ａはモータ回転数基準変化量設定モードを選択しモータ回転数基準変化量を設定する。そして設定したモータ回転数基準変化量とモータ回転数変化量演算手段１２により演算したファンモータ回転数変化量とを比較して、演算したファンモータ回転数変化量が大きければ人が室内へ侵入したこととして、これを報知信号として報知手段９に入力して警報音により報知し、演算したファンモータ回転数変化量が小さければ人が室内へ侵入していないとして報知しない構成とする。
【００９０】
なお、モータ回転数変化量演算手段１２によりファンモータ回転数の変化を検知するまでの動作は実施の形態３と同様のため、詳細な説明は省略する。
【００９１】
次に、上図のように構成した換気装置３ｃの動作について図８を参照しながら説明する。
【００９２】
まず、起動してからステップ３１で待機時間「Ｔ１」経過後、つまりファンモータ回転数が一定になった後、ステップ４５でファンモータ回転数「Ｒ１」を入力する。その後、ステップ３３で所定時間「Ｔ２」経過後、ステップ４６でファンモータ回転数「Ｒ２」を入力する。そして、ステップ４７でファンモータ回転数「Ｒ１」とファンモータ回転数「Ｒ２」との差の絶対値｜Ｒ１−Ｒ２｜を演算して、結果が０であれば、つまり同じファンモータ回転数であれば、ステップ３３に戻り同じ動作を繰り返す。一方、結果が０でなければ、つまり異なったファンモータ回転数であれば、ステップ４１ａでファンモータ回転数基準変化量設定を選択すれば、ステップ４２ａでファンモータ回転数基準変化量「Ｒｃ」を設定し、ステップ４３ａでファンモータ回転数基準変化量「Ｒｃ」とファンモータ回転数差｜Ｒ１−Ｒ２｜とを比較して、ファンモータ回転数差がファンモータ回転数基準変化量よりも小さければステップ４８に戻り同じ動作を繰り返す。ファンモータ回転数基準変化量よりも大きければステップ３８で報知信号により報知する。
【００９３】
一方、ステップ４１ａでファンモータ回転数基準変化量設定を選択しなければ、ステップ３６で運転条件が変更がされているかどうかを判定する。そして、運転条件が変更されていれば、ステップ４８でファンモータ回転数「Ｒ１」を「Ｒ２」として現時点でのファンモータ回転数を更新し、その後ステップ３３に戻り同じ動作を繰り返す。運転条件変更されていなければ、つまりファンモータ回転数が変化し、かつ換気風量設定操作部５ｃを変更していなければ、侵入者が侵入したこととしてステップ３８で報知信号により報知する。
【００９４】
以上のように、モータ回転数が変化した時に、モータ回転数変化量とモータ回転数基準変化量とを比較して、モータ回転数変化量が大きければ人が室内へ侵入したこととして報知し、モータ回転数変化量が小さければ人が室内へ侵入していない、つまりは外風等によりモータ回転数が変化したこととして報知しないこととする。
【００９５】
なお、本実施の形態４において、換気風量設定操作部５ｃの内部にモータ基準変化量設定手段１０ａを設けた構成としたが、外部に設けてもよい。
【００９６】
また、本実施の形態４において、室内の空気を排気するファンモータ６としたが、室内の室外の空気を給気するファンモータでも同様の効果を有する。
【００９７】
また、本実施の形態４において、換気風量設定操作部５ｃは段階に切替えるものとしたが、無段階に切替えるものであっても良い。
【００９８】
（実施の形態５）
図９に示すように、天井１にダクト２を介して設置された換気装置３ｄは、室内の空気を取り入れ口となるルーバー４と、回転することで空気を排出するファンモータ６と、室内圧力を測定する室内圧力測定手段１３と、この室内圧力測定手段１３により測定した室内圧力を所定時間ごとに入力して、その前後の室内圧力変化量を演算する室内圧力変化量演算手段１４と、この室内圧力変化量演算手段１４により室内圧力変化があることを検知すれば、これを報知信号として入力し、侵入者に対して報知する報知手段９による構成とする。
【００９９】
上記構成において、外出時は窓や扉は閉めた状態にしておき、換気装置３ｄを作動させておくと、ファンモータ６が回転することでルーバ４から室内の空気を吸い込み、ダクト２を通じて外部へ排出する。部屋には人の出入りがなく、扉は閉められた状態であるので、室内は一定の負圧状態が保たれる。そして、室内圧力測定手段１３、例えば圧力センサにより、このときの室内圧力を測定する。この状態において、侵入者が窓あるいは扉を開けると開口部が増え、室内外の圧力差がなくなる。室内圧力変化量測定手段１４は室内圧力測定手段１３により測定している値のうち、所定時間ごとに室内圧力を入力して、この前後の室内圧力差を演算する。従って、扉を開ける前後で室内圧力が変化するので室内圧力の差を演算できることとなる。この結果、室内圧力変化量演算手段１４により室内圧力差がなければ変化していないものとして、再び所定時間後に室内圧力を入力して同様の動作を繰り返す。一方、室内圧力変化量演算手段１３により室内圧力差があることを検知すれば、人が侵入したこととして、これを報知信号として入力し報知手段９、例えば、ブザー、あかりにより呼応、あるいは点灯させて、侵入者に対して威嚇することとなる。
【０１００】
次に、上図のように構成した換気装置３ｄの動作について図１０を参照しながら説明する。
【０１０１】
まず、起動してからステップ３１で待機時間「Ｔ１」経過後、つまり室内外が一定の負圧状態になった後、ステップ５０で室内圧力「Ｐ１」を入力する。その後、ステップ３３で所定時間「Ｔ２」経過後、ステップ５１で室内圧力「Ｐ２」を入力する。そして、ステップ５２で室内圧力「Ｐ１」と「Ｐ２」との差の絶対値｜Ｐ１−Ｐ２｜を演算して、結果が０であれば、つまり同じ室内圧力であれば、ステップ３３に戻り同じ動作を繰り返す。一方、結果が０でなければ、つまり異なった室内圧力であれば、ステップ３８で報知信号により報知する。
【０１０２】
以上のように、侵入者が窓あるいは部屋から侵入した際の、室内圧力の変化を検知すればのみで人が室内へ侵入したこととして報知することが容易にできることとなる。
【０１０３】
なお、本実施の形態５において、室内の空気を排気するファンモータ６としたが、室内の室外の空気を給気するファンモータでも同様の効果を有する。
【０１０４】
（実施の形態６）
図１１に示すように、天井１にダクト２を介して設置された換気装置３ｅは、室内の空気を取り入れ口となるルーバー４と、運転条件、即ち換気風量を「強」、「中」、「弱」、「切」といった段階的に切替える換気風量設定操作部５ｄと、回転することで空気を排出するファンモータ６と、室内圧力を測定する室内圧力測定手段１３と、この室内圧力測定手段１３により測定した室内圧力を所定時間ごとに入力して、その前後の室内圧力の変化量を演算し、さらに換気風量設定操作部５ｄで設定された運転条件を入力して、この運転条件が変更されたかどうかを判別する室内圧力変化量演算手段１４と、室内圧力変化量演算手段１４が室内圧力の変化を検知した時に、換気風量の設定が変更されていなければ人が室内へ侵入したこととして室内あるいは室外へ報知し、換気風量の設定が変更されていれば、人が室内へ侵入していないこととして室内あるいは室外へ報知しない報知手段９による構成とする。
【０１０５】
上記構成において、外出時は窓や各部屋の扉は閉めた状態にしておき、換気装置３ｅを作動させておくと、ファンモータ６が回転することでルーバ４から室内の空気を吸い込み、ダクト２を通じて外部へ排出する。部屋には人の出入りがなく、扉は閉められた状態であるので、室内は一定の負圧状態が保たれる。そして、室内圧力測定手段１３、例えば圧力センサにより、室内圧力を測定する。この状態において、侵入者が窓あるいは扉を開けると開口部が増え、室内外の圧力差がなくなる。つまり、室内圧力変化量演算手段１４は室内圧力測定手段１３により測定している値のうち、所定時間ごとに室内圧力を入力して、この前後の室内圧力差を演算する。従って、扉を開ける前後で室内圧力が変化するので室内圧力の差を演算できることとなる。さらに、室内圧力変化量演算手段１４は換気風量設定操作部５ｄで設定された運転条件を入力し、この運転条件が変更されたかどうかを検出する。そして室内圧力変化量演算手段１４により所定時間ごとに室内圧力を入力して、この前後の室内圧力差を演算した結果、室内圧力差がなければ、所定時間ごとに入力した室内圧力が変化していないものとして、再び所定時間後に室内圧力を入力して同様の動作を繰り返す。一方、室内圧力変化量演算手段１４により所定時間ごとに室内圧力を入力して、この前後の室内圧力差を演算した結果、室内圧力に差があれば、所定時間ごとに入力した室内圧力が変化したことを検知し、かつ室内圧力変化量演算手段１４が、換気風量設定操作部５ｄにより運転条件が変更されていないことを検知すれば、人が侵入したことと検知して、これを報知信号として入力し報知手段９、例えば、ブザー、あかりにより呼応、あるいは点灯させて、侵入者に対して威嚇することとなる。さらに、居住者が換気風量設定操作部５ｄを例えば「中」から「強」に変更した場合は、窓あるいは扉を開けなくても、ファンモータ６の回転数が上昇する、つまり換気風量が増加してさらに室内は負圧状態となる。室内圧力変化量演算手段１４により室内圧力差があることを検知するが、換気風量設定操作部５ｄが変更されていることを検知し報知手段９へは伝達しない、つまり侵入者が室内へ侵入していないこととして、報知手段９、例えば、ブザー、あかりを呼応、あるいは点灯させないようにする。
【０１０６】
次に、上図のように構成した換気装置３ｅの動作について図１２を参照しながら説明する。
【０１０７】
まず、起動してからステップ３１で待機時間「Ｔ１」経過後、つまり室内外の圧力差が一定になった後、ステップ５０で室内圧力「Ｐ１」を入力する。その後、所定時間「Ｔ２」経過後、ステップ５１で室内圧力「Ｐ２」を入力する。そして、ステップ５２で室内圧力「Ｐ１」と「Ｐ２」との差の絶対値｜Ｐ１−Ｐ２｜を演算して、結果が０であれば、つまり同じ室内圧力であれば、ステップ３３に戻り同じ動作を繰り返す。一方結果が０でなければ、つまり異なった室内圧力であれば、ステップ３６で運転条件が変更されているかどうかを判定する。そして運転条件が変更されていれば、ステップ５３で室内圧力「Ｐ１」を「Ｐ２」とし現時点での室内圧力を更新し、その後ステップ３３に戻り同じ動作を繰り返す。一方、運転条件が変更されていなければ、つまり室内圧力が変化し、かつ換気風量設定操作部５ｄを変更していなければ、侵入者が侵入したとこととしてステップ３８で報知信号により報知する。
【０１０８】
以上のように、室内圧力の変化が窓あるいは扉を開閉したことによるものか、あるいは運転条件を変更したことによるものかを判別して、窓あるいは扉を開閉したことによるものであれば不法侵入者が侵入したとして報知し、運転条件を変更したことによるものであれば居住者が存在するとして報知しないこととする。
【０１０９】
なお、本実施の形態６において、室内の空気を排気するファンモータ６としたが、室内の室外の空気を給気するファンモータでも同様の効果を有する。
【０１１０】
また、本実施の形態６において、換気風量設定操作部５ｄは段階に切替えるものとしたが、無段階に切替えるものであっても良い。
【０１１１】
（実施の形態７）
図１３に示すように、換気風量設定操作部５ｅの内部に、室内圧力基準変化量を設定する室内圧力基準変化量設定手段１０ｂを備え、室内圧力基準変化量設定手段１０ｂは室内圧力基準変化量設定モードを選択し室内圧力基準変化量を設定する。そして設定した室内圧力基準変化量と室内圧力変化量演算手段１４により演算した室内圧力変化量とを比較して、演算した室内圧力変化量が大きければ人が室内へ侵入したことと検知して、これを報知信号として報知手段９に入力して警報音により報知する構成とする。
【０１１２】
なお、室内圧力変化量演算手段１４により室内圧力変化を検知するまでの動作は実施の形態６と同様のため、詳細な説明は省略する。
【０１１３】
次に、上図のように構成した換気装置３ｆの動作について図１４を参照しながら説明する。
【０１１４】
まず、起動してからステップ３１で待機時間「Ｔ１」経過後、つまり室内圧力が一定になった後、ステップ５０で室内圧力「Ｐ１」を入力する。その後、ステップ３３で所定時間「Ｔ２」経過後、ステップ５１で室内圧力「Ｐ２」を入力する。そして、ステップ５２で室内圧力「Ｐ１」と「Ｐ２」との差の絶対値｜Ｐ１−Ｐ２｜を演算して、結果が０であれば、つまり同じ室内圧力であれば、ステップ３３に戻り同じ動作を繰り返す。一方、結果が０でなければ、つまり異なった室内圧力であれば、ステップ４１ｃで基準変化量設定を選択すれば、ステップ４２ｃで所定変化量「Ｐｃ」を設定し、ステップ４３ｃで所定変化量「Ｐｃ」と室内圧力差｜Ｐ１−Ｐ２｜とを比較して、室内圧力差が基準変化量よりも小さければステップ５３に戻り同じ動作を繰り返す。基準変化量よりも大きければステップ３８で報知信号により報知する。
【０１１５】
一方、ステップ４１ｃで基準変化量設定を選択しなければ、ステップ３６で運転条件が変更されているかどうかを判定する。そして、運転条件が変更されていれば、ステップ５３で室内圧力「Ｐ１」を「Ｐ２」として現時点での室内圧力を更新し、その後ステップ３３に戻り同じ動作を繰り返す。運転条件が変更されていなければ、つまり室内圧力に変化して、かつ換気風量操作部５ｅを変更していなければ、侵入者が侵入したとしてステップ３８で報知信号により報知する。
【０１１６】
以上のように、室内圧力が変化した時に、室内圧力変化量と室内圧力基準変化量とを比較して、室内圧力変化量が大きければ人が室内へ侵入したこととして報知し、室内圧力変化量が小さければ人が室内へ侵入していない、つまりは外風等により室内圧力が変化したこととして報知しないこととする。
【０１１７】
なお、本実施の形態７において、換気風量設定操作部５ｅの内部に基準変化量設定手段１０ｂを設けた構成としたが、外部に設けてもよい。
【０１１８】
また、本実施の形態７において、室内の空気を排気するファンモータ６としたが、室内の室外の空気を給気するファンモータでも同様の効果を有する。
【０１１９】
また、本実施の形態７において、換気風量設定操作部５ｅは段階に切替えるものとしたが、無段階に切替えるものであっても良い。
【０１２０】
（実施の形態８）
図１５に示すように、人が侵入したことを検知した検知信号は報知手段９に入力されると、報知時間設定時間１５で設定された報知時間だけ警報音を呼応する。報知時間経過後は、警報音を停止し、再び換気風量測定手段７により測定している換気風量を入力して繰返し同じ動作を繰り返す構成とする。
【０１２１】
次に、上図のように構成した換気装置３ｇの動作について図１６を参照しながら説明する。
【０１２２】
まず、起動してからステップ５５で報知時間「Ｔ３」を設定後、ステップ５６で報知時間変更モードを選択すればステップ５８で新たな報知時間「Ｔ４」を設定し、ステップ５９で「Ｔ３」を「Ｔ４」として報知時間を変更する。ステップ５６で報知時間変更モードを選択しなければ、ステップ３１の待機時間「Ｔ１」に移行する。ステップ３１からステップ３８の報知信号を検出するまでの動作については実施の形態１と同様のため省略する。
【０１２３】
ステップ３８で報知信号を検出すれば、ステップ６０で報知時間「Ｔ３」経過後、報知するのを解除し、ステップ３２に戻り同じ動作を繰り返すこととなる。
【０１２４】
以上のように、警報音を鳴らす時間を設定して、この時間が経過した後は警報音を鳴らすのを解除して、再び不法侵入により窓ガラスやドアを破壊あるいは開閉されたことを検知して警報音により報知できる状態に復帰することができる。
【０１２５】
（実施の形態９）
図１７に示すように、人が室内へ侵入したことを検知するかしないかを選択する警戒モード設定部１６を設け、この警戒モード設定部１６により警戒モードを選択しなければ、報知手段９に入力しないこととし、警戒モードを選択すれば待機時間経過後、換気風量測定手段７により換気風量を測定する構成とする。
【０１２６】
次に、上図のように構成した換気装置３ｈの動作について図１８を参照しながら説明する。
【０１２７】
まず、ステップ６１で警戒モードに設定しなければ、換気装置３ｈが運転している状態が継続されるので、居住者が窓あるいは扉を開けたことによる換気風量の変化で報知しないこととなる。一方、ステップ６１で警戒モードに設定すれば、ステップ３１の待機時間「Ｔ１」に移行する。ステップ３１からステップ３８の報知信号を検出するまでの動作については実施の形態１と同様のため省略する。
【０１２８】
以上のように、居住者が在宅時には、窓や扉を開閉したことにより、外部の空気を室内へ急激に吸引することで生じる換気風量、モータ回転数あるいは室内圧力の変化を検知するかしないかを、必要に応じて選択できることとなる。
【０１２９】
（実施の形態１０）
図１９に示すように、換気装置３ｉは人が室内へ侵入したことを検知する検知信号および換気風量、ファンモータ回転数、室内圧力データを、入力して外部に出力するための外部出力手段１７とを備えた構成とする。
【０１３０】
上記構成において、侵入者が侵入したことを検知する検知信号は、外部出力手段１７に入力され、図示はしないが変換回路によりＨまたはＬ信号に変換され、外部へ伝達できる信号に変換される。また、換気風量、ファンモータ回転数、室内圧力の換気情報が外部出力手段１７に入力され、図示はしないが変換回路によりアナログ信号、例えば０から５Ｖに変換され、外部へ伝達できる信号に変換される。
【０１３１】
以上のように、侵入者が侵入したことを検知する検知信号、および換気風量、ファンモータ回転数、室内圧力の換気情報を外部へ伝達できる信号に変換することとなる。
【産業上の利用可能性】
【０１３２】
本発明の換気装置は、換気風量の変化を検出することと、運転条件切替えの有無を組合せることで、換気風量の変化が居住者よるものか、侵入者によるものか判別することができ、住宅あるいは店舗の防犯システム等の用途にも適用できる。
【図面の簡単な説明】
【０１３３】
【図１】本発明の実施の形態１の換気装置の構成図
【図２】同実施の形態１の換気装置の動作を示すフローチャート
【図３】本発明の実施の形態２の換気装置の構成図
【図４】同実施の形態２の換気装置のプログラムのフローチャート
【図５】本発明の実施の形態３の換気装置の構成図
【図６】同実施の形態３の換気装置のプログラムのフローチャート
【図７】本発明の実施の形態４の換気装置の構成図
【図８】同実施の形態４の換気装置のプログラムのフローチャート
【図９】本発明の実施の形態５の換気装置の構成図
【図１０】同実施の形態５の換気装置のプログラムのフローチャート
【図１１】本発明の実施の形態６の換気装置の構成図
【図１２】同実施の形態６の換気装置のプログラムのフローチャート
【図１３】本発明の実施の形態７の換気装置の構成図
【図１４】同実施の形態７の換気装置のプログラムのフローチャート
【図１５】本発明の実施の形態８の換気装置の構成図
【図１６】同実施の形態８の換気装置のプログラムのフローチャート
【図１７】本発明の実施の形態９の換気装置の構成図
【図１８】同実施の形態９の換気装置のプログラムのフローチャート
【図１９】本発明の実施の形態１０の換気装置の構成図
【図２０】従来の通風検知式警報装置の構成図
【符号の説明】
【０１３４】
３      換気装置
３ａ    換気装置
３ｂ    換気装置
３ｃ    換気装置
３ｅ    換気装置
３ｆ    換気装置
３ｇ    換気装置
３ｈ    換気装置
３ｉ    換気装置
５ａ    換気風量設定操作部
５ｂ    換気風量設定操作部
５ｃ    換気風量設定操作部
５ｄ    換気風量設定操作部
５ｅ    換気風量設定操作部
５ｆ    換気風量設定操作部
５ｇ    換気風量設定操作部
７      換気風量測定手段
８      換気風量変化量演算手段
９      報知手段
１０    換気風量基準変化量設定手段
１０ａ  モータ回転数基準変化量設定手段
１０ｂ  室内圧力基準変化量設定手段
１１    モータ回転数測定手段
１２    モータ回転数変化量演算手段
１３    室内圧力測定手段
１４    室内圧力変化量演算手段
１５    報知時間設定手段
１６    警戒モード設定部
１７    外部出力手段
【図１】
2005107643.tif 000003
【図２】
2005107643.tif 000004
【図３】
2005107643.tif 000005
【図４】
2005107643.tif 000006
【図５】
2005107643.tif 000007
【図６】
2005107643.tif 000008
【図７】
2005107643.tif 000009
【図８】
2005107643.tif 000010
【図９】
2005107643.tif 000011
【図１０】
2005107643.tif 000012
【図１１】
2005107643.tif 000013
【図１２】
2005107643.tif 000014
【図１３】
2005107643.tif 000015
【図１４】
2005107643.tif 000016
【図１５】
2005107643.tif 000017
【図１６】
2005107643.tif 000018
【図１７】
2005107643.tif 000019
【図１８】
2005107643.tif 000020
【図１９】
2005107643.tif 000021
【図２０】
2005107643.tif 000022